(57)【特許請求の範囲】
【請求項１】
穂先竿（１）、中間竿（２，３）、及び、元竿（４）を有し、前記穂先竿（１）の長さを、前記中間竿（２，３）の長さより長くしてある中通し竿において、
前記穂先竿（１）、及び、前記中間竿（２，３）を前記元竿（４）に対して伸縮自在に装着するとともに、前記穂先竿（１）、及び、前記中間竿（２，３）を前記元竿（４）に収縮させた第１状態で、前記穂先竿（１）と前記中間竿（２，３）の後端に設けた開口（１Ａ，２Ａ）を、前記元竿（４）の糸導入口（４Ａ）の近傍に位置させる位置決め手段（Ｐ）を設けるとともに、
前記穂先竿（１）、及び、前記中間竿（２，３）を前記第１状態よりも更に前記元竿（４）の奥側に位置させる第２状態に切り換え可能に構成してある
ことを特徴とする中通し竿。
【請求項２】
前記穂先竿（１）、前記中間竿（２，３）、及び、前記元竿（４）が振出式に構成してある請求項１記載の中通し竿。
【請求項３】
前記中間竿（２，３）の後端開口（２Ａ，３Ａ）に、糸（ａ）を支持する糸支持体（６）を設けてある請求項１、又は、請求項２記載の中通し竿。
【請求項４】
前記穂先竿（１）の略全長に亘って、糸（ａ）を支持する糸支持体（６）を設けてある請求項１、請求項２、又は、請求項３記載の中通し竿。
【発明の詳細な説明】
【０００１】
【産業上の利用分野】
本発明は穂先竿、中間竿、及び、元竿を有する中通し竿に関する。
【０００２】
【従来の技術】
従来、穂先竿と中間竿とは略同一長さ（例えば、実開昭５５−１４５１７８号公報）、又は、穂先竿を中間竿より短い長さに設定してあった。さらに、穂先竿は中実状のものが一般的であった。
【０００３】
【発明が解決しようとする課題】
糸の巻き取り時、及び、繰り出し時に、糸が竿の内面に接触して糸の摺動抵抗が大きくなるが、上記した従来構成においては、穂先竿と中間竿とが略同一長さ又は穂先竿が短いので、竿全体の中間部分において糸の接触する部分が長く、特に竿に負荷がかかった場合には、その傾向が顕著に現れる。
本発明の目的は、従来に比べて糸の摺動抵抗を低減し得るものを提供する点にある。
【０００４】
【課題を解決するための手段】
本発明による特徴構成は、穂先竿（１）、中間竿（２，３）、及び、元竿（４）を有し、前記穂先竿（１）の長さを、前記中間竿（２，３）の長さより長くしてある中通し竿において、
前記穂先竿（１）、及び、前記中間竿（２，３）を前記元竿（４）に対して伸縮自在に装着するとともに、前記穂先竿（１）、及び、前記中間竿（２，３）を前記元竿（４）に収縮させた第１状態で、前記穂先竿（１）と前記中間竿（２，３）の後端に設けた開口（１Ａ，２Ａ）を、前記元竿（４）の糸導入口（４Ａ）の近傍に位置させる位置決め手段（Ｐ）を設けるとともに、
前記穂先竿（１）、及び、前記中間竿（２，３）を前記第１状態よりも更に前記元竿（４）の奥側に位置させる第２状態に切り換え可能に構成してある点にあり、その作用効果は次の通りである。
【０００５】
【作用】
つまり、穂先竿の方を長くし、中間竿を短くしたので、特に竿に負荷が作用した場合に中間部での接触長さが短くなり、かつ、穂先部分は糸の向かう方に曲がって穂先内面での糸の接触する部分が少なくなるから、竿全体として実釣時の糸の摺動抵抗が少なくなる。
また、穂先竿と中間竿とを位置決め手段によって第１状態に設定すると、穂先竿と中間竿の後端に設けた開口が元竿側の糸導入口の近傍に位置するので、リールより引き出した糸を糸導入口に挿通すると、その近くに開口があるので、糸通し具をその儘挿入すると開口へ通すことができる。しかも、第２状態に設定すると、更に、穂先竿と中間竿を元竿の奥に収納できるので、収納状態で第１状態に比べて竿全体としての全長を短くでき、竿の取扱いを良くすることができる。したがって、糸の挿通作業時と実釣時以外の場合との夫々に適した竿の状態設定が行え、使い易いものとなる。
【０００６】
【発明の効果】
したがって、糸の繰り出し及び糸の巻き取り時の糸の摺動抵抗を小さくでき、しかけの投入等を迅速に行える。
又、穂先竿を長くしたので、穂先竿が中間竿に比べて曲がり易くなり、穂先竿の曲がり具合を見て当たりを確認するのがより容易になった。
中通し式であるので穂先竿が中空パイプ状であり、中実状の穂先竿に比べてより曲がり易いのも、上記効果を高めるものである。
【０００７】
〔その他の目的・構成・作用・効果〕
(1)  請求項２における発明の目的は、糸の繰り出し等をより円滑にできるようにする点にあり、この為に採られた構成は、請求項１の構成において、前記穂先竿、中間竿、及び、元竿を振出式に構成してある点にあり、その作用効果は次の通りである。
つまり、各竿が振出式になるので、穂先竿は中間竿に対して細径となり、より曲がり易いところから、糸の摺動抵抗は低減されて、糸の繰り出し等をより迅速に行い得る。又、穂先竿が中間竿より長いものであっても、実釣時以外は穂先竿を中間竿内に収納できるので扱いが容易である。
(2)  請求項３における発明の目的は、中間竿等の糸挿入口における糸の摺動抵抗を低減する点にあり、この為に採られた構成は、前記中間竿の後端開口に、糸を支持する糸支持体を設けてある点にあり、その作用、効果は次の通りである。
つまり、中間竿の後端の糸挿入口を出て糸導入口に向かう糸は、糸挿入口の縁にその部位で方向をかえるので糸挿入口の縁に圧接することになり、この部位での摺動抵抗が大きくなるが、そこに、糸支持体を設けることによって、糸を直接前記縁に圧接する必要はなく、それだけ、糸の摺動抵抗を低減できる。
(3)  請求項４における発明の目的は、穂先竿においても糸の摺動抵抗を更に低減する点にあり、この為に採られた構成は、請求項１、請求項２、又は、請求項３の構成において、前記穂先竿の略全長に亘って糸を支持する糸支持体を設けてある点にあり、その作用効果は次の通りである。
つまり、糸支持体を全長に亘って設けることによって、細径である故に穂先竿の内周面と接触し易い穂先竿であっても、糸が直接穂先竿の内周面に接触することを少なくすることができ、それだけ、糸の摺動抵抗を低減することができる。
特に、振出式の竿においては、中間竿にセラミックリング等の糸の摺動抵抗を緩和する糸支持体を設けるにしても、糸支持体が竿の内面より突出するので、糸支持体の設ける位置を中間竿の中間位置等に設けたのではその中間位置までしか収納できないところから、糸支持体の設置位置が中間竿の後端開口部に限定される。そうすると、中間竿内での糸は、後端開口部においては中間竿の内面とは接触しないが後端開口部以外の部分では接触する機会が多くなる。
そこで、後端開口部以外の部分での接触する長さを短くすべく中間竿の長さを短くする必要がある。但し、中間竿が短くなった分穂先竿を長くして、竿の全長を必要長さに維持する。
そうすると、中間竿部分での糸の摺動抵抗が小さくなる代わりに、穂先竿での糸の摺動抵抗が大きくなるが、振出式であっても全長に亘って糸支持体を設けることができ糸の摺動抵抗が小さくできる穂先竿を長くしたので、従来に比べて全体としての摺動抵抗は大きくならない。しかも、穂先竿が長くなるので従来に比べてさらに曲がり易くなり、それだけ、糸との相対角度が大きくなり、糸の摺動抵抗は小さくなる。
【０００８】
【実施例】
〔第１実施例〕
図１（イ）（ロ）に示すように、穂先竿１、第１中間竿２及び第２中間竿３、これら穂先竿１及び第１中間竿２、第２中間竿３を振出式に装着する元竿４を配して、振出し型中通し竿を構成する。元竿４の中間位置に形成したリール脚装着部４Ｂにリール７を取り付け、このリール７より繰り出された糸ａを、元竿４の外面に形成した長円状の糸導入孔４Ａを通して、穂先竿１及び第１中間竿２、第２中間竿３に挿入するようにしてある。
【０００９】
穂先竿１について説明する。図３に示すように、穂先竿１の先端にトップガイド５を装着するとともに、その穂先竿１の内部には糸支持体６を装入してある。この糸支持体６は、穂先竿１の略全長に亘る螺旋体６Ａと、この螺旋体６Ａを締め付ける状態で外嵌される熱収縮チューブ６Ｂとからなり、細い径の穂先竿１に対応させて、螺旋体６Ａを細い径の素材で形成し、穂先竿１の曲がりに追従し易いものに設定するとともに、細い径で多少強度面で不足する螺旋体６Ａを熱収縮チューブ６Ｂで外嵌固定して、螺旋体６Ａと熱収縮チューブ６Ｂとで、軽量でかつ柔軟性に富み、強度面での不足のない糸支持体６を形成する。
上記糸支持体６は、後端部に置いて保持体８によって支持されて、穂先竿１の内面より離れた状態にあるとともに、前端部においては穂先竿１の内面に直接接触して支持されており、前後中間部を穂先竿１の内面より離れた状態に維持して、糸支持体６が全長に亘って接触することを防止し、穂先竿１が曲がり易い状態にしている。
【００１０】
次に、中間竿２，３について説明する。図３に示すように、第１中間竿２、第２中間竿３においては、後端の開口部２Ａに糸ａの摺動抵抗を低減すべく糸ａを支持する糸支持体６としての硬質の糸案内リングを設けてある。これによって、後記する糸導入口４Ａから第２中間竿３に入る糸ａが中間竿３の後端に接触して方向を替える際に、その後端に圧接し糸ａの摺動抵抗が大きくなる点を、糸案内リング６を設けることによって、糸ａの摺動抵抗を低減する。
【００１１】
元竿４の構成について説明する。図１乃至図３に示すように、元竿４にリール７からの糸ａを導入する糸導入口４Ａと、リール７を取り付けるリール脚装着部４Ｂとを設け、先端から糸導入口４Ａまでの間隔を、中間竿２，３の長さに相当する間隔に設定してある。このような構成によって、第１、第２中間竿２，３を先端から糸導入口４Ａの間で突出することなく収納できる。糸導入口４Ａからリール脚装着部４Ｂまでの間隔は、先端から糸導入口４Ａまでの間隔以上の長いものに設定してあり、これによって、糸導入口４Ａでの糸ａの摺動抵抗を低減できる。つまり、糸導入口４Ａから出た糸ａはリール７に巻き取られる際に、又は、リール７より出た際に、両軸受リールであればレベルワインド機構によって左右に振られたり、スピニングリールであれば、スパイラル状を呈している。したがって、例えば、実開昭５０−８９８８６号公報に示すように、リール脚装着部４Ｂと糸導入口４Ａとを近接した状態に設定すると、左右に振られた糸ａが糸導入口４Ａの左右縁部に圧接することになり、そこでの糸ａの摺動抵抗が大きくなる。
そこで、上記したように、リール脚装着部４Ｂと糸導入口４Ａとの間隔を、中間竿２，３の長さ以上に設定することによって、リール７での左右の振れ又はスパイラル状の径が同一であっても、間隔が大きくなった分糸導入口４Ａでの左右の振れは小さくなり、これによって、糸ａが糸導入口４Ａの左右縁部に接触する圧を小さくでき、ここでの糸ａの摺動抵抗を小さくできる。尚、リール７から出る糸ａに対してその振れを抑える為に、糸導入口４Ａとリール脚装着部４Ｂとの間に２つの糸ガイド９，９を立設している。又、糸導入口４Ａに硬質の糸のリング状ガイド４ａを設けて、糸の摺動抵抗を軽減する構成を採ってもよい。
先端から糸導入口４Ａの間隔を第１、第２中間竿２，３に相当する長さにし、さらに、糸導入口４Ａからリール脚装着部４Ｂまでの間隔を先端から糸導入口４Ａまでの間隔以上に設定してあるので、先端からリール脚装着部４Ｂまでが長いものになり、竿全体としても長いものとなるので、次のような取扱いの良さがある。竿全体のなかで、竿径の大きな元竿が最も長いので、竿の総重量は多少重くなるが持ち重り感は軽減され、針がかりした魚が横走りする際に、竿の弾性力を利用してためながら魚の引きをこらえる時に、手元の剛性が高い元竿が長いものであるから、剛性の高いしっかりした部分を長く採ることができ、魚の引きによる手元のぐらつき等が少なく、それだけ取扱い易い面がある。
【００１２】
次に、穂先竿１、第１、第２中間竿２，３の後端開口部２Ａ，３Ａを収納状態で、糸導入口４Ａの近傍に位置させる位置決め手段Ｐについて説明する。
図３に示すように、第２中間竿３の先端にネジ部３Ｂを形成するともに、このネジ部３Ｂに螺合する袋ナット状のキャップ１１を設け、このキャップ１１の一端を元竿４の先端に接当することによって、第２中間竿３の後端開口部３Ａを糸導入口４Ａの近傍に位置させることができる。また、第１中間竿２については、第１中間竿２の後端を第２中間竿３の後端開口部３Ａに設けた開口具３Ｃに内面より接当させて、第１中間竿２の後端開口部２Ａを糸導入口４Ａの近傍に位置させる。以上のように、キャップ１１と元竿４の先端、及び、第１中間竿２の後端開口部２Ａと第２中間竿３の後端開口部３Ａの鍔部とを位置決め手段Ｐと称する。
以上のように、穂先竿１、第１中間竿２、第２中間竿３、元竿４において、第１中間竿２と第２中間竿３とは略同一長さであり、穂先竿１が中間竿２，３より長く、元竿４を穂先竿１よりさらに長くしてある。このように、穂先竿１を中間竿２，３よりも長くすることによって、作用の項で示したような作用効果を奏する。
又、図２及び図３に示すように、穂先竿１、第１中間竿２、第２中間竿３は、位置決め手段Ｐの作用によって、後端開口部１Ａ，２Ａ，３Ａが糸導入口４Ａの近くに位置することになる。この状態を第１状態といい、穂先竿１の先端は元竿４の先端よりかなり前方にでている。この状態より、キャップ１１を取り外し、穂先竿１、第１中間竿２、第２中間竿３を更に第１状態より元竿４の奥側に収納するようにして、竿としての全長をコンパクトにし、持ち運び時の便宜を図るようにしてある。この状態を第２状態と称する。この第２状態では、トップガイド５のみが元竿４の先端より突出し、穂先竿１をこのトップガイド５を持って引き出すことが可能である。そして、この穂先竿１を引き出すと振出式であるので第１中間竿２、第２中間竿３の前端部内面が第１中間竿２と穂先竿１の先端部内面に圧接して第１中間竿２、第２中間竿３を引き出すことができる。
【００１３】
〔第２実施例〕
第１実施例と異なる部分を主として説明する。図４及び図５に示すように、元竿４を手元側元竿４Ｃと先端側元竿４Ｄとで構成し、先端側元竿４Ｄに糸導入口４Ａを形成するとともに、手元側元竿４Ｃにリール脚装着部４Ｂを形成し、手元側元竿４Ｃを先端側元竿４Ｄに対して相対移動自在に外嵌してある。
このように、手元側元竿４Ｃを相対移動自在に構成することによって、図４（イ）（ロ）に示すように、糸ａの挿通作業を行う場合は、手元側元竿４Ｄを糸導入口４Ａに近接させる状態に設定して、リール７と糸導入口４Ａとを近接させて糸ａの挿入作業をやりやすくするように構成するとともに、実釣時においては、図５に示すように、手元側元竿４Ｄを後方に移動させて、糸導入口４Ａとリール７との間隔を大きくして、作用効果の項で記載したような効果を奏することができる。
【００１４】
〔別実施例〕
（１）      竿全体の構成としては、穂先竿１、第１中間竿２、第２中間竿３のうちの少なくとも一部を、並継ぎ式に継合するものであってもよい。
これによって、穂先竿１を中間竿２に対して収納する必要から穂先竿１の径についての制約が多い振出式のものに比べて、並継ぎ式の場合にはそのような制約は少なく、中間竿２，３に対して穂先竿１を長くしたものであっても、その径を最適なものにして、その弾性変形量等の調整を容易に行うことができる。
（２）    穂先竿１の糸支持体６としては、次のようなものでもよい。
イ    硬質のリング状糸支持体６を穂先竿１の全長に亘って分散配置するよう  にしてもよい。
ロ    糸支持体６としては、螺旋体６Ａのみでもよい。
（３）    穂先竿１以外に使用される糸支持体６としては、図６に示すように、単なる硬質のリング状糸支持体６を中間竿２の後端開口に設けてよい。又は、図７に示すように、ブロック状本体の一端面に糸の挿通路６ａを形成するとともに、この糸挿通路６ａから反対側の他端面にテーパ状に開口する誘導路６ｂを形成したものでもよい。このような構成を採ると、糸の挿通作業を行う際にテーパ状の誘導路６ｂが糸挿通経路６ａへの糸の誘導を容易にする。
以上、糸支持体６の構成について説明してきたが、糸支持体６の材質としては、セラミック、金属等の硬質材を主とするが、樹脂やゴム等の軟質材を使用してもよい。
（４）    第１，第２中間竿２，３の後端開口部２Ａ，３Ａを糸導入口４Ａの近くに位置させる位置決め手段Ｐとしては、次のような構成を採ってもよい。つまり、図８に示すように、中間竿２，３の先端部に大径膨出部２Ｃ，３Ｃを形成し、この大径膨出部２Ｃ，３Ｃを夫々第２中間竿３と元竿４の先端内面に圧接させるように構成する。これによって、第１中間竿２，第２中間竿３の後端開口部２Ａ，３Ａを糸導入口４Ａに近接させることができる。そして、大径膨出部２Ｃ，３Ｃと相手側内面との圧接状態に抗して更に押し込むと中間竿２，３を元竿４の奥に押し込むことができ、通常の振出竿と同様の使い方ができる。但し、奥に押し込んだ時点でその状態を保持するように、中間竿２，中間竿３等を嵌合固定する機構を設けてもよい。
穂先竿１についても、同様の大径膨出部を形成して、同様の使い方ができる。このような構成によって、位置決め手段Ｐが作用している状態では、中間竿２等の前後いずれの方向への動きも規制されるところから、糸の挿通作業時に糸通し具が中間竿２等の後端開口部２Ａにあやまって接当しても、中間竿２等が移動することはない。
（５）      図９に示すように、糸導入口４Ａの先端近くに、中仕切り部材１０を設け、この中仕切り部材１０で第２中間竿３の後端を受け止め、第２中間竿３の位置決めをする。この状態が第１状態である。この第１状態より中仕切り部材１０を反転させて経路より上方に退避させると中間竿２，３と穂先竿１を更に後方に移動でき、第２状態にできる。
（６）      竿全体の構成としては、中間竿２，３を二本使用したものを説明したが、中間竿としては、３本以上でもよく、又、反対に一本でもよい。
尚、特許請求の範囲の項に図面との対照を便利にするために符号を記すが、該記入により本発明は添付図面の構成に限定されるものではない。
【図面の簡単な説明】
【図１】（イ）  穂先竿と中間竿とを第２状態に設定した状態を示す側面図
（ロ）  穂先竿と中間竿とを伸長させた状態を示す側面図
【図２】穂先竿と中間竿とを第１状態に設定した状態を示す側面図
【図３】図２に対応した、穂先竿と中間竿とを示す縦断側面図
【図４】（イ）  元竿を伸縮自在な二段構造にしたもので、穂先竿と中間竿とを第２状態に設定した状態を示す側面図
（ロ）  元竿を伸縮自在な二段構造にしたもので、穂先竿と中間竿とを伸長させた状態を示す側面図
【図５】図４の（ロ）より元竿も伸長状態に設定した状態を示す側面図
【図６】中間竿の後端に装着する糸支持体の別形態を示す縦断側面図
【図７】中間竿の後端に装着する糸支持体の別形態を示す縦断側面図
【図８】位置決め手段の別実施構造を示す縦断側面図
【図９】位置決め手段の別実施構造を示す縦断側面図
【符号の説明】
１            穂先竿
２，３        中間竿
２Ａ，３Ａ    糸の導入孔
４            元竿
４Ａ          糸導入口
４Ｂ          リール脚装着部
６            糸支持体
Ｐ            位置決め手段
ａ            糸
【図１】
0003584941.tif 000002
【図２】
0003584941.tif 000003
【図３】
0003584941.tif 000004
【図４】
0003584941.tif 000005
【図５】
0003584941.tif 000006
【図６】
0003584941.tif 000007
【図７】
0003584941.tif 000008
【図８】
0003584941.tif 000009
【図９】
0003584941.tif 000010